(57)【特許請求の範囲】
【請求項１】
掃除機の吸込口側延長管と連結される第１連結管と、掃除機の本体側延長管と連結される第２連結管と、前記第１連結管と連通される吸気口と、前記第２連結管と連通される排気口を備え、前記吸気口を通して流れ込まれる埃及びごみを含んだ空気について旋回気流を形成するサイクロン本体と、
該サイクロン本体に着脱自在に結合され、前記旋回気流により空気から分離される埃及びごみを回収するごみ回収桶と、
前記サイクロン本体の排気口に設けられ、前記排気口と通じる流路を形成するグリル部を備えたグリル部材と、
前記サイクロン本体に形成される旋回気流により回転しつつ前記グリル部材のグリル部にくっつく埃及びごみを掃き出す埃掃出手段とを備えてなり、
埃掃出手段は、
前記グリル部材の下部側の内部に押込結合された円筒体と、
軸を有し、前記円筒体内に、ここを通過する気流により回転するよう設けられた回転ファンと、
該回転ファンの軸の両端を前記円筒体に支持するための第１及び第２支持部材と，
前記グリル部材の端部と一定間隔離隔配置された、ごみ逆流防止機能を有する円錐形の回転板と、
前記回転板に連結されたレバー部の端部にブラシ部が連結された構成であり、少なくとも二つが對向方向に配されて、前記ブラシ部が前記グリル部材のグリル部に接触するよう設けられ前記グリル部にくっつく埃及びごみを掃出すブラシ部材とを有し、
前記第１支持部材及び第２支持部材は、少なくとも二つのリブ及び該リブの中央部にそれぞれ形成され前記回転ファンの軸を支持する第１及び第２軸孔を備え、前記第１支持部材は前記円筒体の一端部に一体に形成され、前記第２支持部材は前記円筒体の他端部の内側に具備された組立孔に分離自在に結合され、
該回転板は、その中央部に前記回転ファンの軸端部が押し込まれる結合孔が形成してあり、該結合孔を前記回転ファンの軸端部に押し込まれて結合してあり、
前記ブラシ部材は、ゴムリングでもって、上記ブラシ部が前記グリル部材のグリル部に密着するよう彈持してあり、
前記回転ファンの回転が、前記軸、前記円錐形の回転板、前記ブラシ部材を介して前記ブラシ部に伝達される構成としたことを特徴とする真空掃除機用サイクロン集塵装置。
【発明の詳細な説明】
【０００１】
【発明の属する技術分野】
本発明は真空掃除機に係り、さらに詳しくは掃除機の吸込口を通して吸込まれる埃及び各種のごみを含んだ吸込空気について旋回気流を形成させることにより遠心力により旋回気流から埃及びごみを分離するサイクロン集塵裝置に関する。
【０００２】
【従来の技術】
前述したような真空掃除機用サイクロン集塵装置の代表的な例として、本出願人により出願された韓国特許出願第１９９９−２０７０４号に開示されたことがあり、その概略的な構造が図１に示されている。
【０００３】
図１によれば、一般の真空掃除機用サイクロン集塵装置は、サイクロン本体２０、ごみ回收桶３０及びグリル部材４０を備える。
【０００４】
サイクロン本体２０は、掃除機の吸込口側延長管１ａと連結される第１連結管２１と、掃除機の本体側延長管１ｂと連結される第２連結管２２と、第１連結管２１と連通される吸気口２３と、第２連結管２２と連通される排気口２４を備える。このサイクロン本体２０は吸気口２３を通して吸い込まれる埃及び各種ごみを含む空気について旋回気流を形成する。
【０００５】
ごみ回収桶３０はサイクロン本体２０に着脱自在に結合され、サイクロン本体２０により形成される旋回気流により空気から分離される埃及び各種ごみを回収する。
【０００６】
グリル部材４０は、サイクロン本体２０の排気口２４に設けられ、ごみ回収桶３０に回収されたごみが排気口２４を通して逆流しなくする。このグリル部材４０はグリルボディ４１、グリルボディ４１の外周面に排気口２４と通じる流路を形成するよう配された多数の微細通孔４２、及びグリルボディ４１の下端部に形成された円錐形の逆流防止板４３を備える。
【０００７】
前述したように構成された一般の真空掃除機用サイクロン集塵装置は、掃除機の吸込口に発生される吸込力により埃などのごみが吸込空気と共に第１連結管２１を通してサイクロン本体２０について斜線方向に流入され、これにより空気は旋回気流を形成しつつごみ回収桶３０の下部に降下される(図１の実線矢印参照)。この過程で遠心力により空気中に含まれた埃及びごみが空気から分離されごみ回収桶３０に回収される。
【０００８】
次いで、空気はごみ回収桶３０の底面から反転上昇運動する気流によりグリル部材４０の微細通孔４２と、排気口２４及び第２連結管２２を通して掃除機本体側に排出される(図１の点線矢印参照)。この際、ごみ回収桶３０から上昇する気流により空気と共に上昇する一部のごみは逆流防止板４３にぶつかって反射されることによりその進み方向が旋回気流側に転換され、よってごみは再び旋回気流に、巻き込まれる。逆流防止板４３によっても上昇気流から分離されないごみはグリル部材４０の微細通孔４２を通して空気と共に排出される。この際、微細通孔４２のサイズより大きいごみは微細通孔４２を抜け出られないことにより再び旋回気流に巻き込まれる。
【０００９】
そして、前記旋回気流からまだ分離できなかった一部のごみは、グリル部材４０の微細通孔４２を通して空気と共に排気口２４に排出され、このように空気と共に排出されるごみは掃除機本体の紙フィルタで濾されて回収され、淨化された空気はモータを経て掃除機の外部に排出される。
【００１０】
一方、前述したような真空掃除機用サイクロン集塵装置では、グリル部材４０の微細通孔４２を通した空気の排出過程において空気中に含まれた埃及びごみがグリル部材４０にくっつく現象が必ず発生し、これにより微細通孔４２が塞がりながら吸込力の低下による効率減少及び掃除機モータの過負荷を引き起こす。從って、グリル部材４０の微細通孔４２の周りにくっついて積もった埃及びごみを周期的に掃出す必要がある。従来のサイクロン集塵装置はグリル部材４０がサイクロン本体２０に結合されているため、グリル部材４０にくっついて積もった埃及びごみを除去するためには、まずごみ回収桶３０をサイクロン本体２０から取り外してグリル部材４０を露出させた後ブラシや手で掃出すしかない。従って、その作業が煩わしいだけではなく、また埃及びごみを掃出す過程において埃が飛散しながら周辺環境を汚染させるという問題点がある。
【００１１】
【発明が解決しようとする課題】
本発明は前述したような問題点を勘案して案出されたもので、その目的はサイクロン集塵装置に発生する旋回気流により回転しつつグリル部材にくっつく埃及びごみを自動に掃出すことによりグリル部材の流路が埃により塞がることを防止すると同時に、グリル部材の埃を掃出すための別の作業を行う必要がない真空掃除機用サイクロン集塵装置を提供するところにある。
【００１２】
【課題を解決するための手段】
前述した目的を達成するための本発明に係る真空掃除機用サイクロン集塵装置は、掃除時サイクロン集塵装置内に形成される旋回気流により回転しつつグリル部材のグリル部にくっつく埃及びごみを掃出す埃掃出手段とを備えることを特徴とする。
【００１３】
埃掃出手段は、グリル部材の下部にここを通過する気流により回転するよう設けられた回転手段と、回転手段に連結され回転し、グリル部材の端部と一定間隔離隔配置された回転部材と、回転部材に一側が連結されその他側はグリル部材のグリル部に接触するよう設けられグリル部材のグリル部にくっつく埃及びごみを掃出すブラシ部材とを備える。
【００１４】
本発明の望ましい実施例によれば、前記回転手段は前記グリル部材の下部側の内部に押込結合された円筒体と、該円筒体に回転自在に支持される回転ファンと、前記回転ファンの軸両端を前記円筒体に支持するための第１及び第２支持部材と、を備える。ここで、前記第１支持部材及び第２支持部材は少なくとも二つのリブ及び該リブの中央部にそれぞれ形成され前記回転ファンの軸を支持する第１及び第２軸孔を具備し、前記第１支持部材は前記円筒体の一端部に一体に形成され、前記第２支持部材は前記円筒体の他端部の内側に備えられた組立孔に分離自在に結合される。さらに詳しくは前記第１及び第２支持部材は三つの前記リブを備え、これらは等間隔に配される。
【００１５】
また、前記回転部材は円錐形の回転板で構成されることによりサイクロン集塵装置の内部の反転旋回気流により空気と共に上昇するごみを反射させ再び降下旋回気流に巻き込まれるようにする逆流防止板としての機能を兼ねることが望ましく、前記回転板の中央部には前記回転ファンの軸端部が押し込まれる結合孔が形成され回転ファンと共に回転するよう構成される。
【００１６】
また、前記ブラシ部材は、前記回転部材に連結されるレバー部の端部にブラシ部が連結され構成されることが望ましい。さらに詳しくは少なくとも二つの前記ブラシ部材が対向方向に配され、この二つのブラシ部材をそのブラシ部が前記グリル部材のグリル部に密着するよう弾持する弾性部材が備えられ構成される。前記弾性部材はゴムリングで構成されることが望ましいが、これに限らない。
【００１７】
本発明の望ましい実施例によれば、グリル部材はサイクロン本体の排気口に支持される支持部を備えた略円錐形の第１グリルボディ部と、該第１グリルボディ部から延び外周面が半径方向に開放された開放部と閉鎖された閉鎖部を備えた円筒形の第２グリルボディ部を備え、前記第２グリルボディ部の開放部外周に網状体が結合され多数の微細通孔よりなるグリル部を形成して構成される。
【００１８】
【発明の実施の形態】
本発明の前述した目的及び他の長所は添付した図面を参照して本発明の望ましい実施例を詳述することによりさらに明らかになる。参考に、本発明の実施例を発明するにおいて、従来とその構成及び作用が同一な部分については同一な参照符号を付して引用する。
【００１９】
図２に示した通り、本発明の一実施例による真空掃除機用サイクロン集塵装置は、サイクロン本体２０と、ごみ回収桶３０と、グリル部材４００及び埃掃出手段５００とを備える。
【００２０】
サイクロン本体２０は、図２及び図４に示した通り、掃除機の吸込口側延長管１ａと連結される第１連結管２１と、掃除機の本体側延長管１ｂと連結される第２連結管２２と、第１連結管２１と連通される吸気口２３と、第２連結管２２と連通される排気口２４とを備える。
【００２１】
掃除機の吸込口を通して吸い込まれる埃及びごみを含んだ空気は第１連結管２１及び吸気口２３を通してサイクロン本体２０について斜線方向に流れ込まれる。これによりサイクロン本体２０及びごみ回收桶３０の内部には旋回気流が形成され、この旋回気流により空気中に含まれた埃及び各種ごみは遠心力により空気から分離される。
【００２２】
ごみ回収桶３０は、サイクロン本体２０に着脱自在に結合され、サイクロン本体２０と協同して流れ込まれる空気について旋回気流を形成すると共に旋回気流により空気から分離される埃及び各種ごみを回収する。
【００２３】
グリル部材４００は、サイクロン本体２０の排気口２４に設けられごみ回収桶３０に回収されたごみが排気口２４を通して逆流しなくする。このグリル部材４００は第１グリルボディ部４１０と、第２グリルボディ部４２０と、グリル部４３０とを備える。
【００２４】
第１グリルボディ部４１０は上部にサイクロン本体２０の排気口２４に支持される支持部４１１が形成され、略上部から下部に行くほど直径次第に縮まる円錐形を有する。第２グリルボディ部４２０は第１グリルボディ部４１０の下部に延び、その外周面が半径方向について開放された開放部４２１と閉鎖された閉鎖部４２２を有する円筒形で形成される。グリル部４３０は第２グリルボディ部４２０の開放部４２１の周りに結合される網状体で形成され、これにより第２グリルボディ部４２０には多数の微細通孔よりなる流路、すなわちサイクロン本体２０の排気口２４と通じる流路が形成される。また、グリル部４３０は、第２グリルボディ部４２０の該当位置に多数の微細通孔を直接穿孔することにより形成することもできるなど図示例の構成に必ずしも限定されない。
【００２５】
ごみ回収桶３０から反転上昇する旋回気流により空気はグリル部材４００のグリル部４３０を通してサイクロン本体２０の排気口２４に抜け出る。この際、グリル部４３０には空気中に含まれた一部の埃及びごみがくっつくようになり、これによりグリル部４３０が塞がる。埃掃出手段５００は前記旋回気流により回転しつつグリル部４３０にくっつく埃及びごみを掃出して除去することにより埃及びごみによりグリル部４３０が塞がることを防止する。
【００２６】
前述したような埃掃出手段５００は、図３及び図４に示した通り、回転手段５１０と、回転部材５２０、及びブラシ部材５３０とを備える。
【００２７】
回転手段５１０はグリル部材４００の下部にここを通過する気流により回転するよう設けられ、円筒体５１１と、回転ファン５１２と、第１支持部材５１３、及び第２支持部材５１４とを備える。円筒体５１１は第２グリルボディ部４２０の閉鎖部４２２の内側に位置するよう押込結合される。回転ファン５１２は円筒体５１１の内部に回転自在に設置される。この回転ファン５１２はその軸５１２ａの両端が第１及び第２支持部材５１３、５１４により円筒体５１１に支持されることにより円筒体５１１の内部でここを通過する気流により回転するよう設けられる。ここで、第１及び第２支持部材５１３、５１４は少なくとも二つ、望ましくは三つのリブ５１３ａ、５１４ａを有し、このリブ５１３ａ、５１４ａの中央部には軸５１２ａの両端が挿入される第１及び第２軸孔５１３ｂ、５１４ｂがそれぞれ形成される。また、第１支持部材５１３は円筒体５１１の一端(図３において上端)に一体に形成され、第２支持部材５１４は円筒体５１１の他端(図３において下端)に分離自在に結合される。このため、円筒体５１１の下端の内側には三つの組立孔５１１ａが形成され、第２支持部材５１４はそのリブ５１４ａの端部が組立孔５１１ａに嵌合される。
【００２８】
回転部材５２０は、回転手段５１０と共に回転するよう回転手段５１０に連結され、図４に示した通り、グリル部材４００の端部と一定間隔離隔されるよう配される。これにより、ごみ回収桶３０から反転上昇する空気はグリル部材４００の端部と回転部材５２０との間に流入されながら回転ファン５１２を回転駆動し、また前記空気と共に上昇する一部のごみは回転部材５２０にぶつかって反射されることにより逆流されず再び旋回気流に巻き込まれる。望ましくは、回転部材５２０は前述したようなごみ逆流防止機能を有するよう円錐形の回転板で構成され、この回転板の中央部には回転ファン５１２の軸５１２ａの端部が押し込まれる結合孔５２１が形成される。従って、回転ファン５１２の回転と共に回転部材５２０が回転する。
【００２９】
ブラシ部材５３０はその一側が回転部材５２０に連結され、他側はグリル部材４００のグリル部４３０に接触するよう設けられ、回転部材５２０と共に回転しつつグリル部４３０にくっつく埃及びごみを掃き出す。このようなブラシ部材５３０は回転部材５２０に連結されるレバー部５３１とレバー部５３１に連結されるブラシ部５３２とから構成される。
【００３０】
望ましい実施例によれば、本発明に係る真空掃除機用サイクロン集塵装置は、前述したような少なくとも二つのブラシ部材５３０、５３０Ａが対向配置される。また、そのような場合、二つのブラシ部材５３０、５３０Ａをそれらのブラシ部５３２がグリル部材４００のグリル部４２０に密着されるよう弾持される弾性部材５３３が具備される。この弾性部材５３３は、例えばゴムリングで構成することができ、このゴムリングは二つのブラシ部材５３０、５３０Ａのレバ―部５３１に設けられる。
【００３１】
以下、前述したように構成された本発明に係る真空掃除機用サイクロン集塵装置の作用を図１及び図４に基づき説明する。
【００３２】
図１に示した通り、本発明に係るサイクロン集塵裝置は掃除機の延長管１ａ、１ｂに裝着され使用される。掃除が始まれれば、吸込口(図示せず)から吸い込まれる埃及び各種ごみを含んだ空気は延長管１ａ、第１連結管２１及び吸気口２３を通してサイクロン本体２０について斜線方向に流入される。これにより空気は旋回気流を形成しながらごみ回収桶３０の下部に降下され、この過程で遠心力により空気中に含まれた埃及びごみが空気から分離されごみ回収桶３０に回収される。
【００３３】
次いで、空気はごみ回収桶３０の底面で反転上昇運動する気流によりグリル部材４００の端部と回転部材５２０との間及びグリル部４３０、排気口２４及び第２連結管２２を通して掃除機本体側に排出される。また、グリル部材４００の端部と回転部材５２０との間を通してグリル部材４００に流れ込まれる空気によりその内部の回転ファン５１２が回転し、よって回転ファン５１２と回転部材５２０により連結されたブラシ部材５３０が回転する。ブラシ部材５３０はそのブラシ部５３２がグリル部材４００のグリル部４３０に接触されているため、ブラシ部材５３０の回転によりグリル部４３０にくっついている埃及びごみが掃き出される。すなわち、本発明は掃除開始と共にサイクロン集塵装置内に発生する旋回気流によりブラシ部材５３０が回転しながらグリル部４３０にくっついている埃及びごみを掃き出しながら掃除が行える。したがって、グリル部４３０が埃などにより塞がることがなく、また従来のようにグリル部にくっつく埃などを別に掃き出すための作業を行う必要がない。
【００３４】
一方、ごみ回収桶３０から上昇する気流により空気と共に上昇する一部のごみは回転部材５２０にぶつかって反射されることによりその進み方向が旋回気流側に転換され、よってごみは再び旋回気流に巻き込まれる。この際、回転部材５２０が回転するため、ごみの逆流を一層効率よく防止することができる。
【００３５】
回転部材５２０によっても上昇気流から分離できなかったごみはグリル部材４００のグリル部４３０を通して空気と共に排出される。この際、グリル部４３０の通孔より大きいごみはグリル部４３０を抜け出られないようになることによって再び旋回気流に巻き込まれる。
【００３６】
前記旋回気流からまだ分離できなかった一部のごみは、グリル部材４００のグリル部４３０を通して空気と共に排気口２４に排出され、このように空気と共に排出されるごみは掃除機本体の紙フィルタに濾されて回收され、淨化された空気はモータを経て掃除機の外部に排出される。
【００３７】
【発明の効果】
以上述べた通り、本発明によれば掃除開始と同時にサイクロン集塵装置の内部に形成される旋回気流によりブラシ部材５３０が回転しつつグリル部材４００のグリル部４３０にくっつく埃及びごみを掃き出して除去するため、グリル部材４００のグリル部４３０が埃などにより塞がることがなく、よってグリル部４３０が閉塞されることにより発生する吸込力の低下及びモータの過負荷などを防止することができる。
【００３８】
また、本発明によれば、掃除時グリル部材４００のグリル部４３０にくっつく埃及びごみが自動に除去されるため、従来のようにグリル部材にくっついて積もった埃及びごみを除去するための別の作業が要らず、よって使い勝手が良くなる。
【００３９】
以上本発明の原理を例示するための望ましい実施例に関連して説明し示したが、本発明はそのように示しかつ説明されたそのままの構成及び作用に限定されることではない。かえって特許請求の範囲の思想及び範疇を逸脱せず本発明に対す多数の変形及び修正が可能であることは当業者にとって良く理解できるだろう。従って、そのような全ての適切な変形及び修正と均等物も本発明の範囲に属する。
【図面の簡単な説明】
【図１】従来の真空掃除機用サイクロン集塵装置の構造及び作用を示した断面図である。
【図２】本発明の一実施例による真空掃除機用サイクロン集塵装置の構造を示した分解斜視図である。
【図３】図２に示した本発明の一実施例による真空掃除機用サイクロン集塵装置の要部構成を示した分解斜視図である。
【図４】本発明の一実施例による真空掃除機用サイクロン集塵装置の作用を示した断面図である。
【符号の説明】
１ａ    吸込側延長管
１ｂ    本体側延長管
２０    サイクロン本体
２１    第１連結管
２２    第２連結管
２３    吸気口
２４    排気口
３０    ごみ回収桶
４００  グリル部材
４１０  第１グリルボディ
４１１  支持部
４２０  第２グリルボディ
４２１  開放部
４２２  閉鎖部
５００  埃掃出手段
５１０  回転手段
５１１  円筒体
５１１ａ  組立孔
５１２  回転ファン
５１２ａ  輪
５１３  第１支持部材
５１３ａ、５１４ａ  リブ
５１３ｂ  軸孔
５１４  第２支持部材
５２０  回転部材
５２１  結合孔
５３０、５３０Ａ  ブラシ部材
５３１  レバー部
５３２  ブラシ部
５３３  弾性部材
【図１】
0003953386.tif 000002
【図２】
0003953386.tif 000003
【図３】
0003953386.tif 000004
【図４】
0003953386.tif 000005